(57)【要約】  本発明は、ドラム式洗濯機のフロントドアアセンブリ及びドラム式洗濯機を提供しており、該フロントドアアセンブリ（１）は観察窓ガラス（１２）を含み、前記観察窓ガラス（１２）は縁部（１２１）、中央部（１２２）及び前記縁部（１２１）と前記中央部（１２２）を連結した過渡部（１２３）を含み、前記中央部（１２２）は前記縁部（１２１）に対して突出し、前記フロントドアアセンブリ（１）は少なくとも１つの突起（１５）を含み、前記突起（１５）は、前記中央部（１２２）と前記過渡部（１２３）との接合部に設置され、前記突起（１５）の突出方向と前記中央部（１２２）の前記縁部（１２１）に対する突出方向とは一致する。
2020520283.tif 000002
【特許請求の範囲】
【請求項１】
ドラム式洗濯機のフロントドアアセンブリであって、
観察窓ガラスを含み、前記観察窓ガラスは、縁部、中央部及び前記縁部と前記中央部を連結した過渡部を含み、前記中央部は前記縁部に対して突出し、
少なくとも１つの突起をさらに含み、前記突起は前記中央部と前記過渡部との接合部に設置され、前記突起の突出方向と前記中央部の前記縁部に対する突出方向とは一致する、
フロントドアアセンブリ。
【請求項２】
前記接合部の延在方向に沿って、少なくとも１つの前記突起は前記接合部の複数の各箇所から突出した最大サイズが一致し、前記最大サイズが前記突出方向におけるサイズである、請求項１に記載のフロントドアアセンブリ。
【請求項３】
前記接合部の延在方向に沿って、少なくとも１つの前記突起は前記接合部の複数の各箇所から突出した最大サイズがだんだん大きくなり、前記最大サイズは前記突出方向におけるサイズである、請求項１に記載のフロントドアアセンブリ。
【請求項４】
前記接合部は連結された上段と下段とを含み、前記上段は前記下段の上方に位置し、前記突起は前記上段に設置されている、請求項１〜３のいずれか一項に記載のフロントドアアセンブリ。
【請求項５】
前記過渡部はサブ過渡段を含み、前記サブ過渡段は前記上段から直線方向に沿って前記縁部まで延在している、請求項４に記載のフロントドアアセンブリ。
【請求項６】
前記突起の数は複数であり、複数の前記突起は前記サブ過渡段の両側に分布されている、請求項５に記載のフロントドアアセンブリ。
【請求項７】
前記中央部に凹部が設置され、前記凹部は前記突出方向の反対方向へ凹入している、請求項１〜３のいずれか一項に記載のフロントドアアセンブリ。
【請求項８】
前記突起と前記観察窓ガラスとは一体構造である、請求項１〜３のいずれか一項に記載のフロントドアアセンブリ。
【請求項９】
本体と前記本体に連結されたフロントドアアセンブリとを含むドラム式洗濯機であって、前記フロントドアアセンブリは、請求項１〜８のいずれか一項に記載のフロントドアアセンブリを含む、ドラム式洗濯機。
【請求項１０】
窓パッドを更に含み、前記本体に衣類出入口が開設され、前記窓パッドは前記本体に連結され、前記フロントドアアセンブリが前記衣類出入口を閉めると、前記観察窓ガラスと前記窓パッドとは密封接合される、請求項９に記載のドラム式洗濯機。
【発明の詳細な説明】
【技術分野】
【０００１】
本発明は、クリーニング技術の分野に関し、例えば、ドラム式洗濯機のフロントドアアセンブリ及びドラム式洗濯機に関する。
【背景技術】
【０００２】
現在、ドラム式洗濯機は大容量・大直径の方向に進んでいるが、洗濯機の観察窓ガラスを内槽に合わせて設計する場合、各メーカーは、内槽の容積を増加させるために、観察窓ガラスの内槽中に突出するサイズをできるだけ小さく設計している。
【０００３】
しかし、このように設置した後、即ち、観察窓ガラスの内槽中に突出するサイズをできるだけ小さく設計した後、内槽中が洗濯される衣類により満たされると、衣類が観察窓ガラスと窓パッドの間に残るため、少数の衣類がきれいに洗浄しきれないという問題がある。
【発明の概要】
【発明が解決しようとする課題】
【０００４】
本発明は、衣類が観察窓ガラスと窓パッドの間に残留する現象を防止できるドラム式洗濯機のフロントドアアセンブリ及びドラム式洗濯機を提供する。
【課題を解決するための手段】
【０００５】
ドラム式洗濯機のフロントドアアセンブリは、観察窓ガラスを含み、前記観察窓ガラスは、縁部、中央部及び前記縁部と前記中央部を連結した過渡部を含み、前記中央部は前記縁部に対して突出し、
前記フロントドアアセンブリは少なくとも１つの突起を含み、前記突起は前記中央部と前記過渡部との接合部に設置され、前記突起の突出方向と前記中央部の前記縁部に対する突出方向とは一致する。
【０００６】
一実施例において、前記接合部の延在方向に沿って、少なくとも１つの前記突起は前記接合部の複数の各箇所から突出した最大サイズが一致し、前記最大サイズが前記突出方向におけるサイズである。
【０００７】
一実施例において、前記接合部の延在方向に沿って、少なくとも１つの前記突起は前記接合部の複数の各箇所から突出した最大サイズがだんだん大きくなり、前記最大サイズは前記突出方向におけるサイズである。
【０００８】
一実施例において、前記接合部は連結された上段と下段とを含み、前記上段は前記下段の上方に位置し、前記突起は、前記上段に設置されている。
【０００９】
一実施例において、前記過渡部はサブ過渡段を含み、前記サブ過渡段は前記上段から直線方向に沿って前記縁部まで延在している。
【００１０】
一実施例において、前記突起の数は複数であり、複数の前記突起は前記サブ過渡段の両側に分布されている。
【００１１】
一実施例において、前記中央部に凹部が設置され、前記凹部は前記突出方向の反対方向へ凹入している。
【００１２】
一実施例において、前記突起と前記観察窓ガラスとは一体構造である。
【００１３】
ドラム式洗濯機は、本体と前記本体に連結されたフロントドアアセンブリとを含み、前記フロントドアアセンブリは上記いずれか一項に記載のフロントドアアセンブリを含む。
【００１４】
一実施例において、前記ドラム式洗濯機は、本体と窓パッドとを更に含み、前記本体に衣類出入口が開設され、前記窓パッドは前記本体に連結され、前記フロントドアアセンブリが前記衣類出入口を閉めると、前記観察窓ガラスと前記窓パッドとは密封接合される。
【００１５】
本発明は、ドラム式洗濯機のフロントドアアセンブリを提供しており、該フロントドアアセンブリは、観察窓ガラスと少なくとも１つの突起とを含み、突起は観察窓ガラスの中央部と過渡部との接合部に設置され、且つ突起が突出した方向は中央部の縁部に対する突出方向と一致する。このように設置した後、洗濯機内のドラムが回動すると、ドラムは衣類をドラム内で回転させるとともに、衣類が所定の運動軌跡を持つように観察窓ガラスの内壁により制限され、衣類が突起部位にまで回動すると、突起がドラム内へ突出しているため、突起が衣類にブロッキング力を印加し、該ブロッキング力が衣類の元の運動軌跡を変更し、衣類をドラム内へと移動させるので、衣類が観察窓ガラスと窓パッドとの間のスリットに進入することをブロックする作用を奏し、衣類が観察窓ガラスと窓パッドとの間に残留することを防止する。
【図面の簡単な説明】
【００１６】
図１は、本発明の一実施例に係る観察窓ガラスの模式図である。
図２は、本発明の一実施例に係るドラム式洗濯機の一部構造の模式図である。
【符号の説明】
【００１７】
１−フロントドアアセンブリ、
１１−フロントドア本体、
１２−観察窓ガラス、
１２１−縁部、
１２２−中央部、
１２２１−凹部、
１２３−過渡部、
１２３１−サブ過渡段、
１２４−接合部、
１２４ａ−上段、
１２４ｂ−下段、
１３−回転ヒンジアセンブリ、
１４−ハンドル、
１５−突起、
２−ドラム、
３−窓パッド。
【００１８】
ここでの図面は、本明細書に組み込まれて本明細書の一部を構成し、本発明に合わせる実施例を示し、本明細書と共に本発明を解釈するために用いられる。
【発明を実施するための形態】
【００１９】
以下、具体的実施例によって、図面を参照しながら本発明を説明する。
【００２０】
図１〜２に示すように、本実施例は、ドラム式洗濯機のフロントドアアセンブリを提供しており、該フロントドアアセンブリ１は、フロントドア本体１１と観察窓ガラス１２とを含み、観察窓ガラス１２はフロントドア本体１１に取り付けられている。観察窓ガラス１２を透過してドラム２内部の衣類の洗濯状況を観察可能である。図２に示すように、フロントドアアセンブリ１は、一般に回転ヒンジアセンブリ１３によりドラム式洗濯機の本体とヒンジ接続され、且つフロントドア本体上の回転ヒンジアセンブリに対向する位置で、フロントドアアセンブリ１の開閉を容易にするようにハンドル１４が設置されている。
【００２１】
観察窓ガラス１２は、縁部１２１、中央部１２２及び縁部１２１と中央部１２２とを連結した過渡部１２３を含み、好ましくは、縁部１２１はフロントドア本体１１に取り付けられ、且つ中央部１２２は縁部１２１に対して突出する。
【００２２】
また、フロントドアアセンブリ１は、少なくとも１つの突起１５を更に含み、突起１５は中央部１２２と過渡部１２３との接合部１２４に設置され、且つ突起１５の突出方向と中央部１２２の縁部１２１に対する突出方向とは一致する。観察窓ガラス１２がフロントドア本体１１に取り付けられる場合、中央部１２２はドラム２内へ向けて突出する。
【００２３】
以上の説明によれば、洗濯機内のドラム２が回動すると、ドラム２は衣類をドラム２内で回転させるとともに、衣類は所定の運動軌跡を持つように観察窓ガラス１２の内壁により制限を受け、衣類が突起１５の所在部位にまで回動すると、突起１５がドラム２内へ突出しているため、突起１５が衣類にブロッキング力を印加し、該ブロッキング力が衣類の元の運動軌跡を変更し、衣類をドラム２内へと移動させるので、衣類が観察窓ガラス１２と窓パッド３の間のスリットに進入することをブロックする作用を奏し、衣類が観察窓ガラス１２と窓パッド３の間に残留することを防止する。
【００２４】
突起１５の構造は、実際の状況に応じて選択して設置可能であり、一実施例において、接合部１２４の延在方向に沿って、少なくとも１つの突起１５が接合部１２４の複数の各箇所から突出した最大サイズは同じであってもよく、つまり、接合部１２４の複数の箇所で、突起１５の突出方向に沿って突出した最大サイズはいずれも等しく、この態様では、観察窓ガラス１２の構造が比較的簡単で加工しやすい。他の実施例において、接合部１２４の延在方向に沿って、少なくとも１つの突起１５が接合部１２４の複数の箇所から突出した最大サイズはだんだん大きくなり、つまり、接合部１２４の複数の箇所で、突起１５の突出方向に沿って突出した最大サイズは等しくなく、これにより、衣類が回転過程中に観察窓ガラス１２からだんだん離れていき、観察窓ガラス１２と窓パッド３の間に残留することを防止することができる。
【００２５】
また、洗濯過程中に衣類が重力の作用で観察窓ガラス１２の下方と窓パッド３の間に残留しやいが、観察窓ガラス１２の上方と窓パッド３の間に衣類の残留現象が発生しにくいという要因を考えると、本実施例は、突起１５を以下のような位置に設置し、まず、接合部１２４を上段１２４ａと下段１２４ｂとに区分し、そのうち、上段１２４ａは下段１２４ｂの上方に位置し、突起１５を上段１２４ａに設置し、これにより、衣類が上方までに回転すると、上段１２４ａに位置する突起１５が衣類に作用力を印加し、該作用力は衣類の運動軌跡を変更し、ドラム２内へと移動させることで、衣類の残留現象の発生を防止する。
【００２６】
好ましくは、図１に示すように、過渡部１２３はサブ過渡段１２３１を含み、サブ過渡段１２３１は上段１２４ａから直線方向に沿って縁部１２１まで延在している。サブ過渡段１２３１は、観察窓ガラス１２とドラム２との間に収容空間を形成し、該収容空間はより多い衣類を収容可能であり、ドラム２内の容積を増加させる。
【００２７】
図１に示す実施例において、突起１５の数は複数であり、複数の突起１５はサブ過渡段１２３１の両側に分布されている。このように設置した後、衣類の回転過程中に複数の突起１５は衣類に作用力を同時印加し、衣類をドラム２内へより確実に移動させ、衣類の残留を防止する。
【００２８】
好ましくは、ドラム内の容積を増加させる方法は、以下の方法であっでもよい。図１に示す実施例において、中央部１２２は凹部１２２１を更に含み、凹部１２２１は突出方向の反対方向へ凹入している。凹部１２２１の設置によって外部の空間を洗濯機の内部に変更することで内部容積の増加を実現する。
【００２９】
以上の説明では、突起１５は独立に設置してもよく、観察窓ガラス１２と一体的に加工成形してもよく、本実施例において、突起１５と観察窓ガラス１２とは一体構造であり、両者は同一の工程で加工して形成され、該加工態様は簡単であり、加工コストが低い。
【００３０】
本実施例は、本体と本体に連結されたフロントドアアセンブリ１とを含むドラム式洗濯機を更に提供しており、該フロントドアアセンブリ１は、いずれか１つの実施例に係るフロントドアアセンブリ１である。
【００３１】
ドラム式洗濯機は、本体と窓パッド３とを含み、本体は洗濯機のフレームであり、複数の部材は本体に取り付けられ、そのうち、窓パッド３もシール部材として本体に取り付けられ、本体に衣類出入口が開設され、窓パッド３は衣類出入口に沿って延在し、フロントドアアセンブリ１は本体に取り付けられ、フロントドアアセンブリ１が衣類出入口を閉めると、観察窓ガラス１２と窓パッド３とは、洗濯衣類と水などをドラム内に密封するように密封接合されている。
【００３２】
本実施例に係るドラム式洗濯機は、洗濯機内のドラムが回動すると、ドラムは衣類をドラム内で回転させるとともに、衣類は所定の運動軌跡を持つように観察窓ガラスの内壁により制限され、衣類が突起の所在部位にまで回動すると、突起がドラム内へ突出しているため、突起が衣類にブロッキング力を印加し、該ブロッキング力が衣類の元の運動軌跡を変更し、衣類をドラム内へと移動させるので、衣類が観察窓ガラスと窓パッドの間のスリットに進入することをブロックする作用を奏し、衣類が観察窓ガラスと窓パッドとの間に残留することを防止する。
【産業上の利用可能性】
【００３３】
本発明は、ドラム式洗濯機のフロントドアアセンブリ及びドラム式洗濯機を提供しており、該フロントドアアセンブリは、観察窓ガラスと少なくとも１つの突起とを含み、突起は、観察窓ガラスの中央部と過渡部との接合部に設置され、且つ突起が突出した方向は中央部の縁部に対する突出方向と一致する。洗濯機内のドラムが回動すると、突起がドラム内へ突出しているため、突起が衣類にブロッキング力を印加し、該ブロッキング力が衣類の元の運動軌跡を変更し、衣類をドラム内へと移動させるので、衣類が窓ガラスと窓パッドとの間のスリットに進入することをブロックする作用を奏し、衣類が窓ガラスと窓パッドとの間に残留することを防止する。
【図１】
2020520283.tif 000003
【図２】
2020520283.tif 000004
【国際調査報告】
2020520283.tif 000005
2020520283.tif 000006
2020520283.tif 000007
2020520283.tif 000008